(57)【要約】【課題】鏡面にハンドピースのヘッド、患者の歯、又は歯茎のいずれかが嵌まる切欠きを備えることで鏡面とこれらの干渉をなくし、鏡面を適切な位置及び角度に配置する。【解決手段】鏡面２１ａとハンドル１１とを備えるデンタルミラー１０において、前記鏡面にハンドピース３０のヘッド３１、患者の歯４０、又は歯茎４１のいずれかが嵌まる切欠き２１ａを備える。好ましくは、前記鏡面のうち前記ハンドルの軸から延伸される方向のＸ軸の長さより、前記Ｘ軸と直交するＹ軸の長さが短く構成されるとともに、前記切欠きが前記Ｘ軸に沿った辺ｘｓに設けられており、さらに、前記Ｘ軸に沿った辺が前記切欠きを除き直線で構成され、前記Ｙ軸に沿った辺ｙｓが外側に膨らむ円弧で構成されている。【選択図】図１
2020048619.tif 000002
【特許請求の範囲】
【請求項１】
鏡面とハンドルとを備えるデンタルミラーにおいて、
前記鏡面にハンドピースのヘッド、患者の歯、又は歯茎のいずれかが嵌まる切欠きを備えることを特徴とするデンタルミラー。
【請求項２】
前記鏡面のうち前記ハンドルの軸から延伸される方向のＸ軸の長さより、前記Ｘ軸と直交するＹ軸の長さが短く構成されるとともに、前記切欠きが前記Ｘ軸に沿った辺に設けられていることを特徴とする請求項１に記載のデンタルミラー。
【請求項３】
前記Ｘ軸に沿った辺が前記切欠きを除き直線で構成され、前記Ｙ軸に沿った辺が外側に膨らむ円弧で構成されていることを特徴とする請求項２に記載のデンタルミラー。
【発明の詳細な説明】
【技術分野】
【０００１】
本発明は、口腔内の診療時に、直接目視することが困難な部分を観察するためのデンタルミラーに関する。
【背景技術】
【０００２】
従来、口腔内の診療には、ハンドルと円形の鏡面とを備えるデンタルミラーが広く用いられている。また、例えば実公昭５６−３３５２３号公報に、鏡面に切欠きを設けることで豆電球の一部を露出させて、口腔内を照らすことができるデンタルミラーが開示されている。
【先行技術文献】
【特許文献】
【０００３】
【特許文献１】実公昭５６−３３５２３号公報
【発明の概要】
【発明が解決しようとする課題】
【０００４】
しかし、デンタルミラーを用いながら診療を行なう際、歯冠等を削るためのハンドピースのヘッド、患者の歯、又は歯茎とデンタルミラーとが干渉して、鏡面を目的の位置及び角度に配置させることができずに診療箇所を目視することが困難な場合がある。また、特許文献１に開示されているデンタルミラーでは、切欠きを備えるものの、その目的が豆電球の一部を露出させることであり、やはり上記同様の課題を有していた。
【０００５】
本発明は、上記の点に鑑みなされたもので、鏡面にハンドピースのヘッド、患者の歯、又は歯茎のいずれかが嵌まる切欠きを備えることで鏡面とこれらの干渉をなくし、鏡面を適切な位置及び角度に配置することができるデンタルミラーを提供することを目的とする。
【課題を解決するための手段】
【０００６】
（１）本発明のデンタルミラーは、
鏡面とハンドルとを備えるデンタルミラーにおいて、
前記鏡面にハンドピースのヘッド、患者の歯、又は歯茎のいずれかが嵌まる切欠きを備えることを特徴とする。
【０００７】
本発明のデンタルミラーによれば、鏡面にハンドピースのヘッド、患者の歯、又は歯茎のいずれかが嵌まる切欠きを備えるため、鏡面とこれらの干渉がなくなり、鏡面を所望の位置及び角度に配置することができる。
【０００８】
（２）本発明のデンタルミラーの好ましい例は、
前記鏡面のうち前記ハンドルの軸から延伸される方向のＸ軸の長さより、前記Ｘ軸と直交するＹ軸の長さが短く構成されるとともに、前記切欠きが前記Ｘ軸に沿った辺に設けられていることを特徴とする。
【０００９】
本発明のデンタルミラーの好ましい例によれば、鏡面が横長に構成されているため、奥歯等の狭い場所でも問題なく使用することができる。
【００１０】
（３）本発明のデンタルミラーの好ましい例は、
前記Ｘ軸に沿った辺が前記切欠きを除き直線で構成され、前記Ｙ軸に沿った辺が外側に膨らむ円弧で構成されていることを特徴とする。
【００１１】
本発明のデンタルミラーの好ましい例によれば、主に患者の頬の内側に接する部分が曲線となり、患者の負担を低減させることができる。また、デンタルミラーの製造において、円形をなす鏡面の一部を切除することで本発明のデンタルミラーとすることができ、製造が容易である。
【発明の効果】
【００１２】
以上説明したように、本発明のデンタルミラーによれば、鏡面にハンドピースのヘッド、患者の歯、又は歯茎のいずれかが嵌まる切欠きを備えることで鏡面とこれらの干渉をなくし、診療に際して鏡面を適切な位置及び角度に配置することができる。
【図面の簡単な説明】
【００１３】
【図１】本発明の一実施形態に係るデンタルミラーの正面図及び左側面図である。
【図２】鏡面のバリエーションを説明する図である。
【図３】デンタルミラーの使用状態を説明する図である。
【図４】デンタルミラーの使用状態を説明する他の図である。
【発明を実施するための形態】
【００１４】
以下、本発明のデンタルミラーの実施の形態について、添付図面を参照して詳細に説明する。図１（Ａ）は本実施形態のデンタルミラーの正面図、図１（Ｂ）はデンタルミラーの平面図である。
【００１５】
図１（Ａ）（Ｂ）に示すように、本実施形態のデンタルミラー１０は、ハンドル１１と、鏡面取付軸１２と、鏡面２０ａとを備える。ハンドル１１は、歯科医師が手に持って操作する部分である。本実施形態のデンタルミラー１０では、断面円形のハンドル１１としているが、断面六角形等の他の形状も採用することができる。鏡面取付軸１２は、鏡面２０ａをハンドル１１に固定するためのもので、ハンドル１１に対してハンドル１１と同軸に螺着される。本実施形態ではこの鏡面取付軸１２は、鏡面２０ａと一体的に構成されている。
【００１６】
鏡面２０ａは、患者の口腔内に差し込んで歯科医師が診療箇所を目視するために用いられるもので、その広い面が略小判状の長円形をなすとともに切欠き２１ａを備える。この切欠き２１ａは、歯科医師が患者の歯冠等を削るためのハンドピース３０のヘッド３１、患者の歯４０、又は歯茎４１（図３及び図４参照）のいずれかが嵌まるように構成される。
【００１７】
また、図２（Ａ）にも示すように、鏡面２０ａは、ハンドル１１の軸から延伸される方向のＸ軸の長さが長く、前記Ｘ軸と直交するＹ軸の長さが短く構成されるとともに、切欠き２１ａがＸ軸に沿った辺ｘｓに設けられている。さらに、Ｘ軸に沿った辺ｘｓが切欠き２１ａを除き直線で構成され、Ｙ軸に沿った辺ｙｓが外側に膨らむ円弧で構成されている。この鏡面２０ａの寸法としては、例えばＸ軸方向の長さＬ１が１９〜２１ｍｍであり、Ｙ軸方向の長さＬ２が９〜１３ｍｍ、好ましくは１０〜１２ｍｍである。また、切欠き２１ａは略半円形をなし、その開口幅ｗは９〜１１ｍｍ、奥行きｄは３〜５ｍｍが好適である。
【００１８】
次に、図２（Ａ）〜（Ｅ）を参照して、鏡面２０ａ，２０ｂ，２０ｃ，２０ｄ，２０ｅのバリエーションを説明する。これらは、鏡面を図１（Ｂ）に示す矢印ａの方向から見た図である。図２（Ａ）は、図１（Ａ）（Ｂ）に示す鏡面２０ａと同じものであり、鏡面２０ａが横長に構成されている。
【００１９】
図２（Ｂ）に示す鏡面２０ｂは、上述の図２（Ａ）に示す鏡面２０ａを上下対称としたものであり切欠き２１ｂが反対側に設けられる。これは、患者の口腔内における診療箇所又は歯科医師の利き腕の相違によって最適なものを選択できるようにするためである。続いて図２（Ｃ）に示す鏡面２０ｃでは、円形をなす鏡面２０ｃの一部に半円形の切欠き２１ｃを設けている。この切欠き２１ｃの大きさは、上述の図２（Ａ）に示す鏡面２０ａと同様である。また、図２（Ｄ）に示す鏡面２０ｄは、図２（Ｃ）に示す鏡面２０ｃを上下対称として切欠き２１ｄを反対側に設けたものである。
【００２０】
これらの図２（Ａ）〜（Ｄ）に示す形態では、切欠き２１ａ，２１ｂ，２１ｃ，２１ｄの開口が、鏡面２０ａ，２０ｂ，２０ｃ，２０ｄのうち上下方向を向いている。もっとも、本実施形態のデンタルミラー１０ではこれに限られず、例えば、図２（Ｅ）に示すように、切欠き２１ｅの開口が鏡面２０ｅのうち鏡面取付軸１２と反対側の横方向に向いていてもよいし、さらに斜め方向（図中矢印ｂ，ｃ参照）等の他の方向に向けられていてもよい。なお、本実施形態のデンタルミラー１０では、これらの鏡面２０ａ，２０ｂ，２０ｃ，２０ｄ，２０ｅは、ステンレス製の円形をなす鏡面の一部を切断することで製造されている。
【００２１】
次に、図３及び図４を参照して、本実施形態のデンタルミラー１０の使用方法を説明する。先ず図３を説明する。図３では、デンタルミラー１０の鏡面２０ａの切欠き２１ａに、患者の歯茎４１を嵌めて診療をしている。ここでは奥歯（歯冠４０）の後側を観察しているのであるが、通常のデンタルミラーだと、鏡面が大きく構成されているため患者の上顎と下顎との間に置くことができず、鏡面をこのような配置にすることが困難である。一方、本実施形態のデンタルミラー１０では、鏡面２０ａが横長に構成されかつ切欠き２１ａを備えるため、奥歯のさらに奥に鏡面２０ａを配置することが可能である。なお、図３では、鏡面２０ａの切欠き２１ａに歯茎４１を嵌めているが、鏡面２０ａを図３に示す位置から前方に移動させて、切欠き２１ａに歯冠４０を嵌めて他の歯を観察してもよい。このとき、鏡面２０ａのうち患者の頬の内側に当接されるＹ軸に沿った辺ｙｓが円弧をなしているため、患者に対する刺激を少なくすることができる。
【００２２】
次に、図４に示す使用方法を説明する。図４では、デンタルミラー１０の鏡面２０ｂの切欠き２１ｂに、歯冠等を削るためのハンドピース３０のヘッド３１を嵌めて診療をしている。詳しく説明すると、通常のデンタルミラーであると、患者の歯を目視するための鏡面の主要部分と、ハンドピース３０のヘッド３１とが離れてしまい、診療箇所の目視が困難となる場合がある。一方、本発明のデンタルミラー１０であると、図に示すように鏡面２０ｂの切欠き２１ｂにハンドピース３０のヘッド３１を嵌めることで、鏡面２０ｂとヘッド３１との距離を近づけ、対象とする歯冠４０の目視を容易にしている。なお、鏡面の主要部分とは、鏡面の縁及び縁近傍を除く部分であり、鏡面において歯科医師が患者の口腔内を目視するのに適した部分を意図する。また、図４に示す使用方法では、デンタルミラー１０の鏡面２０ｂを立てて使用しているが、斜めや横に寝かせて使用することもできる。
【００２３】
このように、図２（Ａ）（Ｂ）に示す、鏡面２０ａ，２０ｂが横長に構成されているものでは、患者の口腔内のうち狭い箇所を診療するのに適している。例えば、患者の奥歯を診療するとき、顎関節からの距離が前歯に対して短いため、患者が口を開けても上の歯と下の歯との隙間が狭くなる。このような狭い場所に置いても、鏡面２０ａ，２０ｂが横長に構成されかつ切欠き２１ａ，２１ｂを備えることで、上の歯と下の歯との間に鏡面２０ａ，２０ｂを配置することができ診療箇所の目視が容易となる。
【００２４】
また、図２（Ｃ）〜（Ｅ）に示す鏡面２０ｃ，２０ｄ，２０ｅでは、患者の口腔内を広く観察する場合に好適である。このような場合においても、例えばハンドピース３０のヘッド３１を切欠き２１ｃ，２１ｄ，２１ｅに嵌めることで、ヘッドと鏡面２０ｃ，２０ｄ，２０ｅのうち目視に用いる主要部分との距離が縮まり、診療箇所の目視がし易くなる。
【００２５】
以上、説明したように、本実施形態のデンタルミラー１０によれば、鏡面２０ａ，２０ｂ，２０ｃ，２０ｄ，２０ｅに切欠き２１ａ，２１ｂ，２１ｃ，２１ｄ，２１ｅを設けているため、ハンドピース３０のヘッド３１を切欠きに嵌めることによって、ヘッド３１と鏡面の主要部分との距離が縮まるとともにヘッドと鏡面との干渉がなくなり、鏡面を適切な位置及び角度に配置することができ、歯科医師が患者の歯冠４０等を削りながら当該部分を目視することが容易となる。これは、従来のデンタルミラーでは、鏡面とハンドピース３０のヘッド３１、又は患者の歯４０との干渉によって、ヘッド３１に設けられたドリル３２の動きと歯冠４０とを同時に目視することが困難な場合があった。このようなとき、歯科医師はデンタルミラーで歯冠４０の位置を確認後、デンタルミラーを一旦ずらして目視せずに勘に頼って歯冠４０を削ることがあった。一方、本実施形態のデンタルミラー１０では、歯冠４０とドリル３２とを同時に目視することができ、精度の高い診療をすることができる。
【００２６】
また、鏡面２０ａ，２０ｂ，２０ｃ，２０ｄ，２０ｅの切欠き２１ａ，２１ｂ，２１ｃ，２１ｄ，２１ｅには患者の歯冠４０又は歯茎４１を嵌めることもできる。この場合でも目視する場所と鏡面の主要部分との距離が縮まるとともに、適切な位置及び角度に鏡面を配置することができ、歯科医師による口腔内の観察がし易くなる。
【００２７】
また、鏡面を横長に構成している形態では、奥歯等の上顎と下顎との隙間が狭い場所においても当該隙間に鏡面２０ａ，２０ｂを配置することができる。これにより、診療するに際し鏡面の配置が困難であった場所でも、鏡面２０ａ，２０ｂを所望の位置及び角度に配置して診療箇所を目視することができる。
【００２８】
なお、上述のデンタルミラー１０は本発明の例示であり、発明の趣旨を逸脱しない範囲においてその構成を適宜変更することができる。
【符号の説明】
【００２９】
１０・・デンタルミラー、１１・・ハンドル、１２・・鏡面取付軸、
２０ａ，２０ｂ，２０ｃ，２０ｄ，２０ｅ・・鏡面、２１ａ，２１ｂ，２１ｃ，２１ｄ，２１ｅ・・切欠き、ｘｓ，ｙｓ・・辺、
３０・・ハンドピース、３１・・ヘッド、３２・・ドリル、
４０・・歯冠（歯）、４１・・歯茎、
【図１】
2020048619.tif 000003
【図２】
2020048619.tif 000004
【図３】
2020048619.tif 000005
【図４】
2020048619.tif 000006